(57)【要約】      （修正有）【課題】吸水性、強靭性が高く、且つ使用者のニーズに合わせて、衛生紙として拭いたり、水分を吸い取ったり、使用上、変化させることができるエコティッシュペーパーを提供する。【解決手段】エコティッシュペーパーは、第一層体１０と第二層体２０とからなり、第一層体は、第二層体に重ね合され、第二層体の厚さは、第一層体の厚さより厚い。第２層体は、再生紙或いは不織布の内の一つであることが好ましい。【選択図】図１
0003207781.tif 000002
【実用新案登録請求の範囲】
【請求項１】
少なくとも一つの第一層体と、少なくとも一つの第二層体とからなるエコティッシュペーパーであって、
前記第一層体は、前記第二層体に重ね合され、前記第二層体の厚さは前記第一層体の厚さより厚いことを特徴とする、エコティッシュペーパー。
【請求項２】
前記第一層体の一面には、複数の凸部が圧設され、前記第二層体の一面には、各前記凸部に対応し結合される複数の凹溝が圧設されることを特徴とする、請求項１に記載のエコティッシュペーパー。
【請求項３】
前記第二層体の別の面には、第三層体が更に重ね合され、前記第三層体の厚さは前記第二層体より薄いことを特徴とする、請求項２に記載のエコティッシュペーパー。
【請求項４】
前記第二層体は、再生紙或は不織布の内の一つであることを特徴とする、請求項３に記載のエコティッシュペーパー。
【請求項５】
複数の第一層体と複数の第二層体とからなるエコティッシュペーパーであって、各前記第二層体は、各前記第一層体の間にそれぞれ重ね合され、各前記第二層体の厚さは、前記第一層体の厚さより厚いことを特徴とする、エコティッシュペーパー。
【請求項６】
各前記第一層体の一面には複数の凸部が圧設され、各前記第二層体の一面には、各前記凸部に対応し結合する複数の凹溝が圧設されことを特徴とする、請求項５に記載のエコティッシュペーパー。
【請求項７】
前記第二層体は、再生紙或は不織布の内の一つであることを特徴とする、請求項５に記載のエコティッシュペーパー。
【考案の詳細な説明】
【技術分野】
【０００１】
本考案はティッシュペーパーに関し、特に異なる厚さを兼ね備えるとともに相互に重ね合されたエコティッシュペーパーに関する。
【背景技術】
【０００２】
いくつかのティッシュペーパーは、液状の原紙や再生紙を、汚れを落とす、異物を取り除く、ふるいにかける、インキを除去する、洗浄、漂白等の何重もの洗浄過程を経て、摂氏１２０度の高温で乾燥させてなる。それにより、使用者は、柔らかい衛生紙で拭いたり水分を吸い取ったりすることができる。
【０００３】
上述した既存の衛生紙は、拭いたり水分を吸収する効果は達成できるものの、構造が繊維を交錯させてなるだけのため、またコストを減らすために厚さが薄いため、拭いたり水分を吸収させると簡単に破けたり、ふやけてしまったりして、使用者は何枚も衛生紙を使わないと拭き終えることができない。このように、使用上の不便や環境に優しくない部分があるため、改善の余地がある。
【考案の概要】
【考案が解決しようとする課題】
【０００４】
上述の欠点を鑑み、本考案は、吸収性と強靭性が高いエコティッシュペーパーを提供することを目的とする。
【課題を解決するための手段】
【０００５】
本考案によるエコティッシュペーパーは、第一層体と第二層体とからなる。前記第一層体は、前記第二層体に重ね合され、前記第二層体の厚さは前記第一層体の厚さより厚い。それにより、吸水性、強靭性が向上し、且つ使用上、使用者のニーズに合わせて変化させることができる。
【考案の効果】
【０００６】
本考案の第二層体は第一層体より厚いため、吸水性と強靭性が向上する。それにより、本考案のエコティッシュペーパーは吸水した後でも破れにくく、同時に、たくさんの水分を吸収できる。従って、用量を節約でき、環境保護の目的を達成することができる。
【図面の簡単な説明】
【０００７】
【図１】本考案の実施例の立体外観図である。
【図２】本考案の別の実施例の立体分解図である。
【図３】本考案の図２の断面図である。
【図４】本考案の別の実施例の立体外観図である。
【図５】本考案の別の実施例の立体外観図である。
【考案を実施するための形態】
【０００８】
図１に示すように、本考案によるエコティッシュペーパー１の実施例は、第一層体１０と、第二層体２０とからなる。
【０００９】
第一層体１０は、第二層体２０に重ね合され、且つ前記第二層体２０の厚さは前記第一層体１０の厚さより厚く、第二層体２０の材質は再生紙であるためコストを減らすことができる。同時に、廃棄した紙を循環して再生産するため、環境保護に役立つ。第二層体２０の材質は不織布にすることもでき、それにより第二層体２０の強靭度を向上させることができる。
【００１０】
本実施例において、第一層体１０は第二層体２０に重ね合され後、半分に折り、さらに別の第一層体１０及び第二層体２０が重ね合せてなるのを集合させ、半分に折ったのを重ねた抜き取り式の形態にすることができる。また、本考案によるエコティッシュペーパー１は巻筒式の型態にすることができる。簡単に言うと、本考案によるエコティッシュペーパー１は、平版、抜き取り式、及び巻筒式の形態にすることができる。
【００１１】
図２と図３は、本考案によるエコティッシュペーパー１の別の実施例である。本実施例において、第一層体１０の一面には複数の凸部１１が圧設され、前記第二層体２０の一面には、各前記凸部１１に対応して結合する複数の凹溝２１が圧設され、それにより第一層体１０と第二層体２０の緊密性がさらに向上する。しかしながら、第一層体１０と第二層体２０は依然として剥がして使用することもできる。その内、凸部１１と凹溝２１は、それぞれ円形である。
【００１２】
図４は、本考案によるエコティッシュペーパー１の別の実施例である。本実施例において、前記第二層体２０の別の面には第三層体３０が更に重ね合され、前記第三層体３０の厚さは、前記第二層体２０より薄い。本考案によるエコティッシュペーパー１は、この種の形態に限定されず、図５に示すように、二枚以上の第一層体１０を相互に重ね合され後、さらに第二層体２０に重ね合せることもでき、本考案のエコティッシュペーパーにいろんな形態を備えさせることができる。
【００１３】
使用する上では、使用者は、第一層体１０と第二層体２０を重ね合わせた型態を直接拭くのに使用することもできる以外に、ニーズに応じて、第一層体１０と第二層体２０を分けて使用することもできる。例えば、食事のあと、第一層体１０と第二層体２０をはがした後、使用者は第一層体１０で唇を拭くことができる。第一層体１０の厚さは薄く且つきめ細やかであるため、触感が極めて優れ、第二層体２０は相対的に厚いため、破れにくい。それにより、第二層体２０で食器や机の上を拭くことができ、さらに効果的に衛生紙を利用することができるとともに、用量を節約し、コストを下げることができ、しかも環境に優しい。
【００１４】
また、本考案のエコティッシュペーパー１の別の実施例は、複数の第一層体１０と複数の第二層体２０からなり、各前記第二層体２０は、各前記第一層体１０の間にそれぞれ重ね合され、各前記第二層体２０の厚さは、前記第一層体１０の厚さより厚い。
【符号の説明】
【００１５】
１    エコティッシュペーパー
１０  第一層体
１１  凸部
２０  第二層体
２１  凹溝
３０  第三層体
【図１】
0003207781.tif 000003
【図２】
0003207781.tif 000004
【図３】
0003207781.tif 000005
【図４】
0003207781.tif 000006
【図５】
0003207781.tif 000007